(57)【要約】【課題】鏡筒内部材の配線を鏡筒外に排出するスリットを備えた駆動筒において、駆動筒の動作範囲拡大を図る。【解決手段】レンズ鏡筒は、フレキシブル基板３１，７１と、３つの第１カム溝１４ａ１〜１４ａ３が形成されるとともに、フレキシブル基板３１，７１を挿通させるスリット１４ｆが円周方向に形成された駆動筒１４と、３つの第１カム溝１４ａ１〜１４ａ３に追従して光軸方向に移動する第１光学群保持枠４と、を有する。３つの第１カム溝１４ａ１〜１４ａ３は、スリット１４ｆが光軸方向において横断し、スリット１４ｆの始端１４ｆ１および終端１４ｆ２に対して光軸方向でそれぞれ位置を変えて形成されている。【選択図】図７
2019159150.tif 000002
【特許請求の範囲】
【請求項１】
フレキシブル基板と、
３つの第１カム溝が形成されるとともに、前記フレキシブル基板を挿通させるスリットが円周方向に形成された駆動筒と、
前記３つの第１カム溝に追従して光軸方向に移動する第１光学群保持枠と、を有し、
前記３つの第１カム溝は、前記スリットが光軸方向において横断し、前記スリットの始端および終端に対して光軸方向でそれぞれ位置を変えて形成されていることを特徴とするレンズ鏡筒。
【請求項２】
前記３つの第１カム溝のうち、２つの第１カム溝について、一方の第１カム溝の広角端領域は、前記スリットの始端に対して前記光軸方向において被写体側に配置され、他方の第１カム溝の広角端領域は、前記スリットの終端に対して前記光軸方向において撮像素子の側に配置されていることを特徴とする請求項１に記載のレンズ鏡筒。
【請求項３】
前記２つの第１カム溝のうち、一方の第１カム溝は、前記広角端領域から撮影領域が前記スリットの始端に対して光軸方向において被写体側に配置され、他方の第１カム溝は、前記広角端領域から沈胴領域が前記スリットの終端に対して前記光軸方向において前記撮像素子の側に配置されていることを特徴とする請求項２に記載のレンズ鏡筒。
【請求項４】
前記駆動筒には、第２光学群保持枠を光軸方向に移動させる３つの第２カム溝が形成されており、前記３つの第２カム溝のうち、少なくとも１つの第２カム溝は、他の第２カム溝に対して、光軸方向において位置を変えて形成されていることを特徴とする請求項２又は３に記載のレンズ鏡筒。
【請求項５】
前記駆動筒には、第３光学群保持枠を光軸方向に移動させるカム筒を回転させる直進溝が形成されており、前記３つの第１カム溝のそれぞれについて、一方の先端部は、前記直進溝に対して前記駆動筒の円周方向において近接した位置に形成され、他方の先端部は、前記直進溝に対して前記駆動筒の円周方向において略同一の位置に形成されていることを特徴とする請求項１乃至４のいずれか一項に記載のレンズ鏡筒。
【請求項６】
請求項１乃至５のいずれか一項に記載のレンズ鏡筒を備える撮像装置。
【発明の詳細な説明】
【技術分野】
【０００１】
本発明は、例えばデジタルカメラやデジタルビデオカメラ等の撮像装置に搭載されるレンズ鏡筒、及びそれを備える撮像装置に関する。
【背景技術】
【０００２】
デジタルカメラ等の撮像装置では、装置本体を薄型化しつつ、ズーム倍率を高倍率化する要望が強くなっている。そのため、レンズ群の移動ストロークをできるだけ大きく取り、装置本体を小型化する構造が求められている。
【０００３】
沈胴式のズームレンズ鏡筒では、レンズ群の移動ストロークを確保するために、光軸方向へ延出するようにカム筒にカム溝を形成する必要がある。例えば、繰り出した１つのカム筒に対してその光軸方向の長さ一杯にカム溝を形成して内部のレンズ群の移動ストロークを稼ぐとともに、カム筒の外側にもカム溝を設けてレンズ群を保持し、光軸方向に移動させる構造が求められている。また、光学性能向上のためにレンズ鏡筒を構成するレンズ群の数が増えてきている。
【０００４】
特許文献１では、カム筒を回転させながら光軸方向へ移動させるために、回転動作を行う駆動筒にもレンズ群を光軸方向へ移動させるためのカム溝を形成することで、より多くのレンズ群を駆動する構成が提案されている。この提案では、駆動筒に、鏡筒内部のシャッタ部材などの配線を鏡筒外に排出するためのスリットが形成され、スリットは、カム溝との干渉を避けるために、カム溝から光軸方向に一定の距離を空けた位置に形成されている。
【先行技術文献】
【特許文献】
【０００５】
【特許文献１】特開２０１６−５７４２４号公報
【発明の概要】
【発明が解決しようとする課題】
【０００６】
しかし、上記特許文献１では、駆動筒で移動させるレンズ群の移動ストロークが大きい場合には、駆動筒に形成されたスリットとカム溝との干渉を避けるために、駆動筒の光軸方向の被写体側又は像面側にしかスリットを形成することができない。そのため、鏡筒内部でシャッタ部材などの配線が収納できず、また、鏡筒外に排出された配線がカメラ側の基板に接続できないなどの不具合が生じる可能性がある。
【０００７】
また、スリットとカム溝とを駆動筒の円周方向に並べた場合には、駆動筒に形成された３つのカム溝とスリットとの干渉を避けるために、スリットの周長、すなわち駆動筒の動作範囲を縮小しなければならない。そのため、カム溝の移動ストロークに対する回転角度が減少してカム溝のリフトが急峻になり、結果としてレンズ群のカム溝とのガタに対する位置、傾度などの敏感度が悪化することになる。
【０００８】
そこで、本発明の目的は、鏡筒内の部材の配線を鏡筒外に排出するスリットを備えた駆動筒の動作範囲を拡大することができるレンズ鏡筒、及びそれを備える撮像装置を提供することにある。
【課題を解決するための手段】
【０００９】
上記目的を達成するために、本発明は、フレキシブル基板と、３つの第１カム溝が形成されるとともに、前記フレキシブル基板を挿通させるスリットが円周方向に形成された駆動筒と、前記３つの第１カム溝に追従して光軸方向に移動する第１光学群保持枠と、を有し、前記３つの第１カム溝は、前記スリットが光軸方向において横断し、前記スリットの始端および終端に対して光軸方向でそれぞれ位置を変えて形成されていることを特徴とする。
【発明の効果】
【００１０】
本発明によれば、鏡筒内の部材の配線を鏡筒外に排出するスリットを備えた駆動筒の動作範囲を拡大することができるレンズ鏡筒、及びそれを備える撮像装置を提供することができる。
【図面の簡単な説明】
【００１１】
【図１】本発明の実施形態の一例であるレンズ鏡筒の沈胴時の断面図である。
【図２】図１に示すレンズ鏡筒の撮影時の断面図である。
【図３】図１に示すレンズ鏡筒の分解斜視図である。
【図４】４群保持枠の側面図である。
【図５】６群保持枠の側面図である。
【図６】固定筒の内周展開図である。
【図７】駆動筒の内周展開図である。
【図８】図７の部分拡大図である。
【図９】図７の部分拡大図である。
【図１０】像振れ補正装置及び絞り装置の各ＦＰＣがレンズ鏡筒外部に排出されている状態を示すレンズ鏡筒の斜視図である。
【発明を実施するための形態】
【００１２】
以下、図面を参照して、本発明の実施形態の一例を説明する。
【００１３】
図１は、本発明の実施形態の一例であるレンズ鏡筒の沈胴時の断面図である。図２は、図１に示すレンズ鏡筒の撮影時の断面図である。図３は、図１に示すレンズ鏡筒の分解斜視図である。なお、本実施形態では、撮像装置の一例としてのデジタルコンパクトカメラに用いられるレンズ鏡筒を例示するが、これに限定されない。
【００１４】
本実施形態のレンズ鏡筒は、図１乃至図３に示すように、１群レンズＬ１、２群レンズＬ２、３群レンズＬ３、４群レンズＬ４、５群レンズＬ５、及び６群レンズＬ６から構成される６群レンズ光学系である。
【００１５】
１群筒１は、１群レンズＬ１を保持し、１群筒１に設けられた６個１組のカムピン１ａはカム筒１０の外周面に形成されたカム溝１０ａに係合している。また、１群筒１には、内周面の周方向３箇所に不図示の直進溝が形成されており、直進溝は直進筒１１の外周面に形成された直進キー１１ａに係合している。
【００１６】
２群筒２は、２群レンズＬ２を保持し、２群筒２の外周面に設けられた３個１組のカムピン２ａは、カム筒１０の内周面に形成されたカム溝１０ｂに係合している。また、２群筒２には、カムピン２ａと同じ箇所に直進キー２ｂが形成されており、直進キー２ｂは、直進筒１１に形成された直進溝１１ｂに係合している。
【００１７】
像振れ補正装置３は、３群レンズＬ３を保持する。像振れ補正装置３の外周面に設けられた３個１組のカムピン３ａは、カム筒１０の内周面に形成されたカム溝１０ｃに係合している。また、像振れ補正装置３には、カムピン３ａと同じ箇所に直進キー３ｂが形成されており、直進キー３ｂは、直進筒１１に形成された直進溝１１ｃに係合している。像振れ補正装置３には、シャッタＮＤ装置８が不図示のビスにより固定されている。
【００１８】
４群保持枠（第１光学群保持枠）４は、４群レンズＬ４を保持する。４群保持枠４の外周面に設けられた３個１組のカムピン４ａ１〜４ａ３（図４参照）は、駆動筒１４の内周面に形成されたカム溝（第１カム溝）１４ａ１〜１４ａ３（図７参照）にそれぞれ係合して追従する。また、４群保持枠４には、外周面の３箇所に直進キー４ｂが形成されており、直進キー４ｂは、固定筒１３に形成された直進溝１３ｄに係合している。
【００１９】
５群保持枠５は、５群レンズＬ５を保持する。５群保持枠５に形成された位置決め部５ａと振れ止め部５ｂとは、６群保持枠６に設けられたガイドバー６１，６２に係合して、５群保持枠５が光軸方向に移動可能に支持されている。また、５群保持枠５には、不図示のラックが設けられ、ラックは、６群保持枠６に設けられたステッピングモータ６３のスクリュウに螺合している。ステッピングモータ６３の出力により５群保持枠５が駆動されると、５群保持枠５は、位置決め部５ａ、振れ止め部５ｂ、及びガイドバー６１，６２の作用により、回転することなく光軸方向に移動する。
【００２０】
６群保持枠６（第２光学群保持枠）は、６群レンズＬ６を保持する。６群保持枠６の外周面下方に配置された１組３個のカムピン６ａ１〜６ａ３（図５参照）は、駆動筒１４の内周面に形成されたカム溝（第２カム溝）１４ｂ１〜１４ｂ３（図７参照）にそれぞれ係合している。また、６群保持枠６の外周面の３箇所には、直進キー６ｂが形成されており、直進キー６ｂは、固定筒１３に形成された直進溝１３ｅに係合している。
【００２１】
絞り装置７は、外周面に設けられた３個１組のカムピン７ａがカム筒１０の内周面に形成されたカム溝１０ｄに係合している。また、絞り装置７には、カムピン７ａと同箇所に直進キー７ｂが形成されており、直進キー７ｂは、直進筒１１に形成された直進溝１１ｄに係合している。
【００２２】
カム筒１０の外周面に設けられた３個１組のカムピン１０ｅは、固定筒１３の内周面に形成されたカム溝１３ａに係合している。また、カム筒１０の外周面に設けられた３個１組の駆動ピン１０ｆは、固定筒１３に形成された貫通溝１３ｃを貫通して駆動筒１４の内周面に形成された直進溝１４ｄに係合している。また、カム筒１０は、直進筒１１と直進板１２とにより回転可能に挟持され、直進筒１１と一体で光軸方向に移動する。
【００２３】
可動カバー筒１６は、不図示の固定手段によりカム筒１０に固定されている。また、可動カバー筒１６の外周面に設けられた３個１組のカムピン１６ａは、固定筒１３に形成されたカム溝１３ｂに僅かに隙間を有して挿入されている。
【００２４】
直進筒１１は、１群筒１、２群筒２、像振れ補正装置３、及び絞り装置７を直進規制し、不図示の固定手段により直進板１２に固定されている。また、直進板１２の外周面に形成された３個の直進キー１２ａは、それぞれ固定筒１３に形成された直進溝１３ｆに係合している。
【００２５】
駆動筒１４の外周面に形成されたギア部１４ｅは、ＤＣモータ９１と複数のギア９２により構成された駆動装置に連結される。駆動装置の出力により駆動筒１４が回転されると、カム筒１０は、カム筒１０のカムピン１０ｅと固定筒１３のカム溝１３ａとの作用、カム筒１０の駆動ピン１０ｆと駆動筒１４の直進溝１４ｄとの作用により、回転しながら光軸方向に移動する。
【００２６】
１群筒１は、１群筒１のカムピン１ａとカム筒１０のカム溝１０ａとの作用、１群筒１の直進溝（不図示）と直進筒１１の直進キー１１ａとの作用により、回転することなく光軸方向に移動する。
【００２７】
２群筒２は、２群筒２のカムピン２ａとカム筒１０のカム溝１０ｂとの作用、２群筒２の直進キー２ｂと直進筒１１の直進溝１１ｂとの作用により、回転することなく光軸方向に移動する。
【００２８】
像振れ補正装置３は、像振れ補正装置３のカムピン３ａとカム筒１０のカム溝１０ｃとの作用、像振れ補正装置３の直進キー３ｂと直進筒１１の直進溝１１ｃとの作用により、回転することなく光軸方向に移動する。
【００２９】
４群保持枠４は、４群保持枠４のカムピン４ａ１〜４ａ３と駆動筒１４のカム溝１４ａ１〜１４ａ３との作用、４群保持枠４の直進キー４ｂと固定筒１３の直進溝１３ｄとの作用により、回転することなく光軸方向に移動する。
【００３０】
６群保持枠６は、６群保持枠６のカムピン６ａ１〜６ａ３と駆動筒１４のカム溝１４ｂ１〜１４ｂ３との作用、６群保持枠６の直進キー６ｂと固定筒１３の直進溝１３ｅとの作用により、回転することなく光軸方向に移動する。
【００３１】
絞り装置７は、絞り装置７のカムピン７ａとカム筒１０のカム溝１０ｄとの作用、絞り装置７の直進キー７ｂと直進筒１１の直進溝１１ｄとの作用により、回転することなく光軸方向に移動する。撮像素子Ｓと光学フィルタＦは、固定地板９に保持されている。また、固定筒１３と固定カバー筒１５は、ビス１７により固定地板９に固定されている。ここで、１群筒１、２群筒２、像振れ補正装置３、及び絞り装置７は、本発明の第３光学群保持枠の一例に相当する。
【００３２】
次に、図４乃至９を参照して、駆動筒１４におけるカム溝１４ａ１〜１４ａ３とカム溝１４ｂ１〜１４ｂ３の配置について説明する。図４は、４群保持枠４の側面図である。図５は、６群保持枠６の側面図である。図６は、固定筒１３の内周展開図である。図７は、駆動筒１４の内周展開図である。図８は、図７の部分拡大図であり、フレキシブル基板（以下、ＦＰＣという。）排出スリットの沈胴領域を示す図である。図９は、図７の部分拡大図であり、ＦＰＣ排出スリットの望遠端領域を示す図である。図１０は、像振れ補正装置３及び絞り装置７のＦＰＣ３１，７１がレンズ鏡筒外部に排出されている状態を示すレンズ鏡筒の斜視図である。
【００３３】
図６に示すように、固定筒１３の内周部には、カム溝１３ａ、カム溝１３ａと同じ軌跡のスリット状の貫通溝１３ｃ、可動カバー筒１６の逃げ用カム溝１３ｂ及び直進溝１３ｄ，１３ｅ，１３ｆが形成されている。また、固定筒１３の内周部には、光軸方向に延びる貫通溝１３ｇ，１３ｈが形成されている。さらに、固定筒１３には、レンズ鏡筒が沈胴状態であるときにＦＰＣ３１，７１を引っ掛かりなく収納するためのＦＰＣガイド溝１３ｊ、及びＦＰＣ３１，７１を挿通させるＦＰＣ挿通穴１３ｋが形成されている。
【００３４】
カム筒１０の外周に形成されているカムピン１０ｅ（図３参照）は、カム溝１３ａに沿って摺動する。カム筒１０の外周に形成されている駆動ピン１０ｆ（図３参照）は、貫通溝１３ｃから光軸方向に所定の間隔があく位置に形成されている。直進板１２の直進キー１２ａは、直進溝１３ｆと摺動可能に係合している。４群保持枠４は、直進溝１３ｄに摺動可能に係合することで回転規制される。６群保持枠６は、直進溝１３ｅに摺動可能に係合することで回転規制される。
【００３５】
駆動筒１４の内周には、図７に示すように、４群駆動用カム溝１４ａ１〜１４ａ３、６群駆動用のカム溝１４ｂ１〜１４ｂ３、ＦＰＣ排出スリット１４ｆ、駆動筒駆動用のカム溝１４ｃ、及び直進溝１４ｄが形成されている。カム筒１０の駆動ピン１０ｆは、直進溝１４ｄに沿って摺動する。すなわち、カム筒１０の光軸方向への移動は、直進溝１４ｄによって規制される。
【００３６】
直進溝１４ｄは、図７に示すように、駆動筒１４の被写体側の先端部に対して所定の間隔を空けて形成されている。駆動筒１４の被写体側先端部まで直進溝１４ｄが形成されていると、そこから外部の有害光が侵入して、画質に影響を及ぼしてしまうためである。
【００３７】
以上の構成によれば、カム筒１０を光軸方向へ回転させながら移動させるために回転動作を行う駆動筒１４にもレンズ群を光軸方向へ移動させるためのカム溝を形成することで、より多くのレンズ群を駆動させることができる。また、５群保持枠５を駆動する６群保持枠６をより大きなストロークで光軸方向へ移動させることができる。
【００３８】
図１０に示すように、ＦＰＣ３１，７１は、レンズ鏡筒内部から外部に排出され、レンズ鏡筒外周に這いまわされ、本体電源ターミナル（不図示）に接続されている鏡筒メインＦＰＣ１５１に設けられたコネクタ１５１ａ，１５１ｂにそれぞれ接続される。ＦＰＣ３１，７１が鏡筒メインＦＰＣ１５１に設けられた電子部品と電気的に接続されることで、レンズ鏡筒内部の像振れ補正装置３及び絞り装置７やシャッタが駆動可能となる。
【００３９】
ここで、ＦＰＣ３１，７１と、レンズ鏡筒の外周に這いまわされている鏡筒メインＦＰＣ１５１との接続について説明する。
【００４０】
前述したように、固定筒１３にはＦＰＣ挿通穴１３ｋが形成され、駆動筒１４にはＦＰＣ排出スリット１４ｆが形成されている。駆動筒１４が回転動作するときに、像振れ補正装置３及び絞り装置７は、直進移動するが回転動作を行わない。そのため、像振れ補正装置３及び絞り装置７が駆動筒１４と干渉しないように、ＦＰＣ排出スリット１４ｆは円周方向へ延びる長穴形状となっている。
【００４１】
また、駆動筒１４の４群駆動用のカム溝１４ａ１〜１４ａ３は、ＦＰＣ排出スリット１４ｆが光軸方向において横断し、カム溝１４ａから所定の間隔（１４ｉ１，１４ｉ２（図８，図９参照））を空けて形成されている。固定カバー筒１５には、ＦＰＣ挿通穴１３ｋと重なるようにＦＰＣ排出穴１５ａが形成されている。したがって、ＦＰＣ挿通穴１３ｋ、ＦＰＣ排出スリット１４ｆおよびＦＰＣ排出穴１５ａはそれぞれ重なっている。そのため、レンズ鏡筒の内側からＦＰＣ挿通穴１３ｋ、ＦＰＣ排出スリット１４ｆ、ＦＰＣ排出穴１５ａの順にＦＰＣ３１，７１が通り、レンズ鏡筒の外側まで導き出される。
【００４２】
また、ＦＰＣ排出スリット１４ｆには、図７に示すように、円周方向に沿って沈胴時に各ＦＰＣが挿通する沈胴領域１４ｆ１（始端）、望遠端時に各ＦＰＣが挿通する望遠端領域１４ｆ２（終端）が形成されている。また、ＦＰＣ排出スリット１４ｆは、ＦＰＣ３１が挿通する幅と、駆動筒１４が動作する回転角とでその周長が決定されている。
【００４３】
４群駆動用の一方のカム溝１４ａ１の広角端領域１４ａ１ｗから沈胴領域は、ＦＰＣ排出スリット１４ｆの沈胴領域１４ｆ１に対して、光軸方向において撮像素子Ｓ側に形成されている。また、４群駆動用の他方のカム溝１４ａ２の広角端領域１４ａ２ｗから撮影領域は、ＦＰＣ排出スリット１４ｆの望遠端領域１４ｆ２に対して、光軸方向において被写体側に形成されている。すなわち、駆動筒１４の４群駆動用カム溝１４ａ１〜１４ａ３は、ＦＰＣ排出スリット１４ｆと干渉しないように、各々で光軸方向の位置を変えて形成されている。
【００４４】
そうすることで、駆動筒１４内のＦＰＣ排出スリット１４ｆの周長、即ち、駆動筒１４が動作する回転角を増やすことができる。したがって、各レンズ群の駆動用カム溝のリフトをなだらかにすることが可能となり、結果として各レンズ群のカム溝とのガタに対する位置、傾度などの敏感度を緩和することが可能となる。また、４群保持枠４のカムピン４ａ１〜４ａ３も、図４に示すように、駆動筒１４の４群駆動用カム溝１４ａ１〜１４ａ３と同様に、各々で位置を変えて形成されている。
【００４５】
また、駆動筒１４の６群駆動用カム溝１４ｂ１〜１４ｂ３についても、ＦＰＣ排出スリット１４ｆ及び４群駆動用カム溝１４ａ１〜１４ａ３と干渉しないように、各々で位置を変えて形成されている。たとえば、６群駆動用カム溝１４ｂ２は、ＦＰＣ排出スリット１４ｆに対して光軸方向において撮像素子Ｓ側に形成された４群駆動用カム溝１４ａ２と干渉しないように、撮像素子Ｓ側に位置を動かして形成されている。
【００４６】
また、６群駆動用カム溝１４ｂ３は、ＦＰＣ排出スリット１４ｆに対して光軸方向において被写体側に形成された４群駆動用カム溝１４ａ１と干渉しないように、被写体側に位置を動かして形成されている。また、６群保持枠６のカムピン６ａ１〜６ａ３も、図５に示すように、駆動筒１４の６群駆動用カム溝１４ｂ１〜１４ｂ３と同様に、各々で位置を変えて形成されている。
【００４７】
このように、駆動筒１４の４群駆動用のカム溝１４ａ１〜１４ａ３をＦＰＣ排出スリット１４ｆに対して光軸方向において各々の位置を変えて形成することで、駆動筒１４が動作する回転角を増やすことが可能になる。
【００４８】
また、４群駆動用カム溝１４ａ１〜１４ａ３の望遠側先端部分１４ａ１ｔ，１４ａ２ｔ，１４ａ３ｔと、直進溝１４ｄを円周方向において隣同士となる位相に近接配置している。同位相に配置するには、直進溝１４ｄを、４群駆動用カム溝１４ａ１〜１４ａ３に対して半径方向に十分に深く、すなわち、駆動筒１４の外径を大きくすることが必要となるため、４群駆動用カム溝１４ａ１〜１４ａ３から所定の間隔を空けて形成している。
【００４９】
また、４群駆動用カム溝１４ａ１〜１４ａ３の沈胴側導入部分１４ａ１ｓ，１４ａ２ｓ，１４ａ３ｓと、直進溝１４ｄを円周方向において略同一となる位置に配置している。４群駆動用カム溝１４ａ１〜１４ａ３と直進溝１４ｄとの重畳部は、カム筒１０が光軸方向へ移動するときに駆動ピン１０ｆが摺動しない領域となっている。
【００５０】
このように直進溝１４ｄに対して４群駆動用のカム溝１４ａ１〜１４ａ３を配置することで、駆動筒１４の外径を必要最小限の大きさに維持しながら、４群駆動用カム溝１４ａ１〜１４ａ３の周長、即ち駆動筒１４が動作する回転角を増やすことができる。したがって、各レンズ群の駆動用カム溝のリフトをなだらかにすることが可能となり、結果として各レンズ群のカム溝とのガタに対する位置、傾度などの敏感度を緩和することが可能となる。
【００５１】
以上説明したように、本実施形態では、鏡筒内の部材の配線を鏡筒外に排出するＦＰＣ排出スリット１４ｆを備えた駆動筒１４の動作範囲を拡大することができるレンズ鏡筒、及びそれを備えるカメラを提供することができる。
【００５２】
なお、本発明の構成は、上記実施形態に例示したものに限定されるものではなく、材質、形状、寸法、形態、数、配置箇所等は、本発明の要旨を逸脱しない範囲において適宜変更可能である。
【００５３】
例えば、上記実施形態では、１群筒１とカム筒１０が進退する２段伸縮型の沈胴レンズ鏡筒を例示したが、３つ以上の移動筒が相対的に進退し、かつカメラ本体に対して進退する３段以上の伸縮型の沈胴レンズ鏡筒に本発明を適用してもよい。
【００５４】
また、上記実施形態では、デジタルコンパクトカメラに用いられるレンズ鏡筒を例示したが、デジタルビデオカメラやフィルムカメラ等の他の撮像装置に用いられるレンズ鏡筒にも本発明を適用することができる。
【符号の説明】
【００５５】
４  ４群保持枠
１４  駆動筒
１４ａ１〜１４ａ３  ４群駆動用カム溝
１４ｆ  ＦＰＣ排出スリット
３１，７１  フレキシブル基板
【図１】
2019159150.tif 000003
【図２】
2019159150.tif 000004
【図３】
2019159150.tif 000005
【図４】
2019159150.tif 000006
【図５】
2019159150.tif 000007
【図６】
2019159150.tif 000008
【図７】
2019159150.tif 000009
【図８】
2019159150.tif 000010
【図９】
2019159150.tif 000011
【図１０】
2019159150.tif 000012